(57)【要約】【課題】複数台の発信元端末を、使用日時に合わせて自動的に切り替え接続を可能とする端末接続制御装置を提供する。【解決手段】通信可能な複数台の端末と送受信を行う送受信部と、外部の端末と通信する１台の前記端末を選択する端末選択部と、を備え、選択した前記端末と前記外部の端末との通話を制御する端末接続制御装置において、現在日時を取得する現在日時取得部と、前記端末毎に設定された通信可能な日時範囲を記憶する日時範囲記憶部と、を備え、前記端末選択部は、前記現在日時取得部が取得した現在日時と、前記日時範囲記憶部に記憶された日時範囲を比較し、現在日時が前記日時範囲と合致する前記端末を選択する。【選択図】図２
2012175529.tif 000002
【特許請求の範囲】
【請求項１】
通信可能な複数台の端末と送受信を行う送受信部と、外部の端末と通信する１台の前記端末を選択する端末選択部と、を備え、選択した前記端末と前記外部の端末との通話を制御する端末接続制御装置において、
現在日時を取得する現在日時取得部と、
前記端末毎に設定された通信可能な日時範囲を記憶する日時範囲記憶部と、を備え、
前記端末選択部は、前記現在日時取得部が取得した現在日時と、前記日時範囲記憶部に記憶された日時範囲を比較し、現在日時が前記日時範囲と合致する前記端末を選択することを特徴とする端末接続制御装置。
【請求項２】
前記日時範囲は、前記端末の用途に応じて設定されることを特徴とする請求項１に記載の端末発信制御装置。
【請求項３】
前記端末選択部は、選択した前記端末を使用して通話を行うか否かをユーザに問い合わせることを特徴とする請求項１又は請求項２に記載の端末発信制御装置。
【発明の詳細な説明】
【技術分野】
【０００１】
本発明は、端末接続制御装置に関し、特に、端末接続制御装置に登録された複数台の端末から１台の端末を選択して通信を行う端末接続制御装置に関する。
【背景技術】
【０００２】
近年、携帯電話機の著しい普及乃至高機能化に伴い、歩行中に携帯電話機を使用するだけでなく、車両による移動中やパソコンでの作業中に携帯電話機を使用する状況が増加している。しかしながら、特に車両による移動中にドライバが携帯電話機を使用することは、安全面において非常に問題となり、法令により禁止事項とされている。
【０００３】
このような状況に対応するため、ハンズフリーの状態で通話を行うことのできるハンズフリー通話装置が開発されている。例えば、下記特許文献１（特開２００３−１０２０５８号公報）には、車両に搭載可能な携帯端末管理システムが開示されている。この携帯端末管理システムでは、車両に搭載された携帯端末管理システムと携帯電話機とを無線接続し、携帯端末管理システムのマイク、スピーカを用いて、ハンズフリーの状態で外部と通話を行うことができる。
【０００４】
ところで、上記のハンズフリー通話装置を利用して、例えば、会社から支給される携帯電話機と個人所有の携帯電話機とを所持するユーザが、仕事関係では会社の携帯電話機を使用し、プライベートでは個人の携帯電話機を使用する、といったように、用途に応じてこれらの携帯電話機を使い分けたい場合がある。
【０００５】
このような状況に対応するべく、複数台の携帯電話機を登録し、発信先に応じて携帯電話機を切り替え可能としたハンズフリー通話装置がある。例えば、下記特許文献２（特開２００７−２６６７５５号公報）に開示されたハンズフリー通話装置では、発信先電話番号と、この発信先電話番号を使用する携帯電話機との対応関係を携帯電話機毎に設定した電話帳データを記憶しておき、ユーザが発信先電話番号を入力すると、対応する携帯電話機を電話帳データに応じて選択し、自動的に切り替えて通話を行うことができる。
【０００６】
また、下記特許文献３（特開２００８−２７１１２４号公報）に開示されたハンズフリー通話装置では、複数の携帯電話毎に優先順位と接続待ち時間を設定でき、通話の接続開始時点で、優先順位に従い接続を開始し、かつ設定された待ち時間内での接続ができなかった場合は、次の順位の携帯電話の待ち時間内に接続を開始するようにして、接続タイムアウトを防止し、順序よく複数の携帯電話とハンズフリー通話ができる装置が開示されている。
【０００７】
更に、下記特許文献４（特開２０１０−１３０５３１号公報）に開示されたハンズフリー通話装置では、複数の携帯電話毎に優先順位を設定でき、かつ運転操作を示す車両信号を検知したとき、優先順位に従ってハンズフリー通話の接続を行い、運転手の携帯電話を優先的に接続するようにしている。
【先行技術文献】
【特許文献】
【０００８】
【特許文献１】特開２００３−１０２０５８号公報
【特許文献２】特開２００７−２６６７５５号公報
【特許文献３】特開２００８−２７１１２４号公報
【特許文献４】特開２０１０−１３０５３１号公報
【発明の概要】
【発明が解決しようとする課題】
【０００９】
ところで、上記のハンズフリー通話装置を利用して、たとえば、会社から支給される携帯電話機及び個人所有の携帯電話機の複数の携帯電話機を所持する運転者等は、業務上での通話と、個人使用の通話とを区別する必要があり、平日の午前９時から午後５時までは会社支給の携帯電話を使用し、平日の午後５時以降や休日は個人所有の携帯電話に自動的にハンズフリー通話の接続が切り替わる必要性があった。
【００１０】
しかしながら、上記特許文献３，４に開示されたハンズフリー通話装置では、運転者自身が有する複数の携帯電話に優先順位を与えても、運転中いずれか一方に接続するのみで、使用上極めて不便なものとなる。
【００１１】
本発明は、上記の問題点を解消することを課題とするものであり、運転者の所有する複数の携帯端末毎に、接続切り替えの日時の設定ができるようにし、所定日時を検出した時点で、自動的に携帯端末の切り替え接続を可能とする端末接続制御装置を提供することを目的とするものである。
【課題を解決するための手段】
【００１２】
前記課題を解決するために、本願の請求項１にかかる発明は、
通信可能な複数台の端末と送受信を行う送受信部と、外部の端末と通信する１台の前記端末を選択する端末選択部と、を備え、選択した前記端末と外部の端末との通話を制御する端末接続制御装置において、現在日時を取得する現在日時取得部と、前記端末毎に設定された通信可能な日時範囲を記憶する日時範囲記憶部と、を備え、前記端末選択部は、前記現在日時取得部が取得した現在日時と、前記日時範囲記憶部に記憶された日時範囲を比較し、現在日時が前記日時範囲と合致する前記端末を選択することを特徴とする。
【００１３】
また、本願の請求項２にかかる発明は、請求項１にかかる端末接続制御装置において、
前記日時範囲は、前記端末の用途に応じて設定されることを特徴とする。
【００１４】
また、本願の請求項３にかかる発明は、請求項１又は請求項２にかかる端末接続制御装置において、前記端末選択部は、選択した前記端末を使用して通話を行うか否かをユーザに問い合わせることを特徴とする。
【発明の効果】
【００１５】
請求項１にかかる発明においては、
通信可能な複数台の端末と送受信を行う送受信部と、外部の端末と通信する１台の前記端末を選択する端末選択部と、を備え、選択した前記端末と外部の端末との通話を制御する端末接続制御装置において、現在日時を取得する現在日時取得部と、前記端末毎に設定された通信可能な日時範囲を記憶する日時範囲記憶部と、を備え、前記端末選択部は、前記現在日時取得部が取得した現在日時と、前記日時範囲記憶部に記憶された日時範囲を比較し、現在日時が前記日時範囲と合致する前記端末を選択する。
【００１６】
かかる構成によれば、通話を行う際の日時に応じて複数の端末から適切な端末を選択して通話することができる。
【００１７】
請求項２にかかる発明においては、前記日時範囲は、前記端末の用途に応じて設定される。かかる構成によれば、用途に応じた適切な端末を選択して通話を行うことができるようになる。
【００１８】
請求項３にかかる発明においては、前記端末選択部が、選択した前記端末を使用して通話を行うか否かをユーザに問い合わせることにより、ユーザが所望する端末を選択して通話を行うことができるようになる。
【図面の簡単な説明】
【００１９】
【図１】本発明の実施例にかかる端末接続制御装置を用いたハンズフリー通話システムの概略説明図である。
【図２】本発明の実施例にかかる端末接続制御装置の構成ブロック図である。
【図３】本発明の実施例にかかる端末接続制御装置に接続される携帯電話機の構成ブロック図である。
【図４】本発明の実施例にかかる端末接続制御装置に登録される携帯電話機のアドレス情報の説明図である。
【図５】本発明の実施例にかかる端末接続制御装置に登録される携帯電話機の登録情報の説明図である。
【図６】本発明の実施例にかかる端末接続制御装置におけるハンズフリー通話のフローチャートである。
【図７】図６の処理手順に続く処理手順を示すフローチャートである。
【図８】本発明の実施例にかかる端末接続制御装置におけるメニュー画面の説明図である。
【図９】本発明の実施例にかかる端末接続制御装置に登録されている携帯電話機の登録画面の説明図である。
【図１０】本発明の実施例にかかる端末接続制御装置における端末選択画面の説明図である。
【発明を実施するための形態】
【００２０】
以下、本発明の具体例を実施例及び図面を用いて詳細に説明する。但し、以下に示す実施形態は、本発明の技術的思想を具体化するための端末接続制御装置を例示するものであって、本発明をこの端末接続制御装置に特定することを意図するものではなく、特許請求の範囲に含まれるその他の実施形態の端末接続制御装置にも等しく適応し得るものである。
【実施例】
【００２１】
図１は、本発明の実施例にかかる端末接続制御装置を用いたハンズフリー通話システムの概略説明図である。ハンズフリー通話システムは、車両１０に搭載されるナビゲーション装置１１（端末接続制御装置）と、ナビゲーション装置１１を介して、外部の携帯電話機１２と通信可能な複数台の携帯電話機１３ａ、１３ｂ（登録端末）とから構成される。なお、携帯電話機１３ａ、１３ｂは、車両１０の運転者や同乗者が所有する携帯電話機であり、車両１０内において運転者や同乗者により携帯され、あるいは、設置台などに設置される携帯電話機である。そして、携帯電話機１３ａ、１３ｂは、事前にナビゲーション装置１１に対して登録された端末（ナビゲーション装置１１を介してハンズフリー通話を可能とする携帯電話機として事前に登録された端末）であり、ナビゲーション装置１１における携帯電話機選択部２１は、後述する条件に基づき、登録された携帯電話機１３ａ、１３ｂのうち１台を、外部の携帯電話機１２とハンズフリー通話が可能な接続端末として選択するものである。
【００２２】
なお、以下の説明では、ナビゲーション装置１１に登録された携帯電話機は２台（携帯電話機１３ａ、１３ｂ）とし、このうち接続端末となる携帯電話機は１台とする説明を行うが、これに限るものではなく、ナビゲーション装置１１に登録できる携帯電話機は２台以上であってもよく、また、接続端末となる携帯電話機についても複数台あっても構わない。
【００２３】
図２は、ナビゲーション装置１１の構成ブロック図であり、図３は、ナビゲーション装置１１に登録された携帯電話機１３ａ、１３ｂの構成ブロック図である。
【００２４】
ナビゲーション装置１１は、車両１０の現在位置を検出し検出した現在位置を地図画像とともに表示部に表示し、ユーザが目的地まで移動するための支援を行う機能を備えるとともに、ナビゲーション装置１０に登録された携帯電話機１３ａ、１３ｂ（何れか１台）を選択して、ハンズフリーによる通話制御を行う端末接続制御装置である。
【００２５】
図２において、ナビゲーション装置１１は、制御部１４、現在位置検出部１５、経路探索部１６、地図情報記憶部１７、アドレス情報記憶部１８、携帯電話機登録情報記憶部１９、現在日時取得部（計時部）２０、携帯電話機選択部２１（端末選択部）、近距離無線通信部２２（送受信部）、操作部２３、表示部２４、マイク２５及びスピーカ２６を備えて構成される。
【００２６】
制御部１４は、ＣＰＵ２７、ＲＯＭ２８、ＲＡＭ２９を備えて構成され、ＲＯＭ２８及び／またはＲＡＭ２９に記憶された制御プログラムをＣＰＵ２７が実行することにより、ナビゲーション装置１１の各部の動作を制御・統括する。
【００２７】
現在位置検出部１５は、地球上空を周回している複数のＧＰＳ衛星からの信号を所定の時間間隔で受信し、この信号に含まれている時刻情報及び衛星位置情報に基づいて車両１０の現在位置を算出する。また、現在位置検出部１５は、ナビゲーション装置１１が、車両に設けられた速度センサ、舵角センサ等のセンサ類からの出力を取得するインターフェイスを備える場合、これらのセンサからの出力に基づいて、現在位置などを検出してもよい。
【００２８】
経路探索部１６は、操作部２３を介してユーザが入力した経路探索条件に従い、地図情報記憶部１７に記憶されている地図情報を参照して最適な経路（案内経路）を探索するものである。経路探索部１６は、出発地又は現在位置に対応する道路のノードから目的地に対応するノードに至るまでのリンクをダイクストラ法等の手法によって探索し、リンク長（リンクコスト）や所要時間を累積し、総リンク長（走行距離）又は総所要時間が最短となる経路を案内経路として探索する。なお、経路探索部１６は、外部の情報提供サーバから通信手段（図示せず）を介して地図情報を取得し、経路探索を行うものであってもよい。
また、地図情報とともに経路探索部を外部の情報提供サーバに設置し、外部の情報提供サーバから案内経路を取得するように構成することもできる。
【００２９】
地図情報記憶部１７は、道路データ、建物データ、背景データ及びテキストデータから構成される地図情報が記憶された記憶媒体（ＨＤＤ、ＤＶＤ等）である。
【００３０】
道路データは、道路をその屈曲点、分岐点等の結節点をノードとするノードデータと、それぞれのノード間を結ぶ経路をリンクとしたリンクデータとから構成される。ノードデータは、ノード番号、ノードの位置座標、交差点情報や交差点名称を示す情報等のノード属性、接続リンク本数、接続リンク番号のデータを含んで構成され、リンクデータは、リンクの始点及び終点となるノード番号、高速道路や一般道や街路等を区別するための道路種別、それぞれの道路の本線や連結路、分岐路を区別するための道路種別、距離及び／又は所要時間、国道○号線のような道路名称、進行方向のデータを含んで構成される。さらに、リンクデータには、リンク属性が含まれており、リンク属性としては、橋、トンネル、踏切、料金所等のデータがある。
【００３１】
また、建物データは、建物の位置座標、駅、ビル、民家等の建物の種別、表示色のデータを含んで構成される。
【００３２】
背景データは、海岸線、湖沼、河川形状、山林等の背景画像データとなる位置座標、表示色のデータを含んで構成される。
【００３３】
テキストデータは、それぞれの地名や河川名等の文字（名称）、及びその座標のデータを含んで構成される。
【００３４】
アドレス情報記憶部１８は、ナビゲーション装置１１に登録された携帯電話機（携帯電話機１３ａ、１３ｂ）が保持するアドレス情報（携帯電話機１３ａ、１３ｂにおけるアドレス情報記憶部３２に記憶されているアドレス情報）が記憶された記憶媒体である。図４は、アドレス情報記憶部１８に記憶されているアドレス情報をアドレス帳（電話帳としても称される）としてリスト表示した一例を示す。アドレス情報は発信先の電話番号等を記憶したものであり、発信の際に表示されたアドレス帳から、ユーザが、所望の発信先を選択するために用いられるものである。従って、アドレス情報記憶部１８には、発信先端末となる携帯電話機のユーザの名前、電話番号、メールアドレス、ユーザを分類するグループ、携帯電話機の通信キャリアがアドレス情報として記憶されている。携帯電話機の通信キャリア（以下単にキャリアと称する）とは、例えば、携帯電話機が契約している携帯電話会社である。なお、携帯電話機が契約している携帯電話会社は、当該携帯電話機のメールアドレスから識別することもできる。
【００３５】
携帯電話機登録情報記憶部１９は、ナビゲーション装置１１に登録された携帯電話機にかかる登録情報が記憶された記憶媒体である。この携帯電話機登録情報記憶部１９には、ナビゲーション装置１１に登録された携帯電話機を識別するための情報が記憶されている。また、携帯電話機登録情報記憶部１９には日時記憶部１９aが設けられており、ナビゲーション装置１１に登録された携帯電話機毎に、ハンズフリー通話を可能とする時間帯の開始日時と、通話可能な時間帯を終了する終了日時が記憶されている。
【００３６】
図５は、ナビゲーション装置１１に登録された２台の携帯電話機（１３ａ及び１３ｂ）にかかる登録情報を示す。携帯電話機登録情報記憶部１９には、登録された携帯電話機の区別記号（個別の携帯電話機を識別するための記号であり、図中では、１３ａ、１３ｂ）、電話番号、携帯電話機がナビゲーション装置１１に接続されているか否かを示す接続有無、携帯電話機のキャリアが記憶されている。携帯電話機のキャリアとは、例えば、携帯電話機が契約している通信事業会社である。なお、携帯電話機が契約している携帯電話会社は、当該携帯電話機のメールアドレスから識別することができる。
【００３７】
また、上述したとおり、携帯電話機登録情報記憶部１９に設けられた日時記憶部１９ａには、ナビゲーション装置１１に登録された携帯電話機毎に、ハンズフリー通話を可能とする時間帯の開始日時と、通話可能な時間帯を終了する終了日時が記憶されている。
【００３８】
例えば、図中１３ａなる携帯電話において、ＷＤ／Ｈ０９００とは、休日（たとえば土曜日、日曜日、祝祭日、休暇日等）を除く平日の午前９時から通話（接続）可能時間帯となることを示し、ＷＤ／Ｈ１７００とは、休日を除く平日の午後５時に通話可能時間帯が終了するということを示している。
【００３９】
また、図中１３ｂなる携帯電話においては、３種の日時設定がなされており、第１種はＷＤ／Ｈ００００すなわち休日を除く平日の午前０時から通話（接続）可能時間帯となり、ＷＤ／Ｈ０９００すなわち午前９時には通話（接続）可能時間帯が終了し、第２種はＷＤ／Ｈ１７００すなわち休日を除く平日の午後５時から通話（接続）可能時間帯が開始し、ＷＤ／Ｈ２４００すなわち午後２４時には通話（接続）可能時間帯が終了し、また第3種はＷＥＨ００００すなわち休日の午前０時から通話（接続）可能時間帯が開始し、ＷＥＨ２４００すなわち休日の午後２４時に通話（接続）可能時間帯が終了することを示している。
【００４０】
すなわち、本実施例では、１３ａなる携帯電話を、会社支給の業務用として、休日を除く平日の午前９時から午後５時まで接続可能とし、１３ｂなる携帯電話を個人用として休日をのぞく平日の午前９時までの業務前と午後５時以降の業務後、および休日の終日を接続可能とする登録（設定）がなされている。
【００４１】
現在日時取得部（計時部）２０は、現在日時を計時するカレンダー時計の機能を有する。時計機能は、内蔵電池等により保電された状態で計時するが、前記ＧＰＳからの時刻情報や、接続される携帯電話からの日時情報により補正され、常時正確な現在日時情報を制御部１４に送出する。なお、現在日時の取得は、上記に限らず、ナビゲーション装置１１が備える日時計算ソフトを使用して算出したり、外部のサーバ等から取得し、あるいは、電波時計のように外部から送信される日時情報を取得したりしてもよい。外部のサーバ等から取得する場合は、別途ナビゲーション装置１１に通信手段を設ける必要がある。
【００４２】
携帯電話機選択部２１は、ナビゲーション装置１１に登録された携帯電話機１３ａ、１３ｂのうち、所定の条件に従い、ナビゲーション装置１１を介して外部の携帯電話機１２との間で通信を行うことができる接続端末（携帯電話機１３ａ、１３ｂのうち何れか１つ）を選択するものである。
【００４３】
近距離無線通信部２２は、ナビゲーション装置１１に登録されている携帯電話機１３ａ、１３ｂとの間で無線通信を行うための通信手段であり、制御部１４は、近距離無線通信部２２を介して携帯電話機１３ａ、１３ｂからアドレス情報や、各携帯電話機１３ａ、１３ｂの電池残量情報を取得するとともに、携帯電話機１３ａ、１３ｂを介して、外部の携帯電話機１２と通話のための音声情報の送受信やメールの送受信を行うものである。近距離無線通信部２２には、例えば、ブルートゥース技術を利用することができる。
【００４４】
操作部２３は、ナビゲーション装置１１の各種操作、例えば、経路探索のための出発地、目的地、経由地等の経路探索条件を入力する手段、携帯電話機１３ａ、１３ｂから必要な情報を取得するための指示を行う手段、携帯電話機１３ａ、１３ｂの登録情報を設定する手段、使用する携帯電話機１３ａ、１３ｂを選択する手段等として機能するものであり、例えば、キーやタッチパネルから構成される。
【００４５】
表示部２４は、車両１０の現在位置、地図画像、案内経路等を表示する手段、操作部２３を用いた作業に必要な操作画像を表示する手段等として機能するものであり、例えば、液晶表示パネルから構成される。
【００４６】
マイク２５は、ナビゲーション装置１１に対して音声による指示を行い、また、携帯電話機１３ａ、１３ｂを介して発信先とハンズフリー通話を行う手段である。また、スピーカ２６は、経路案内情報にかかる音声情報を出力するとともに、携帯電話機１３ａ、１３ｂを介して発信先からの音声を出力する手段である。
【００４７】
図３において、ナビゲーション装置１１に登録された携帯電話機１３ａ、１３ｂは、制御部３０、電池残量検出部３１、アドレス情報記憶部３２、通話送受信部３３、メール送受信部３４、近距離無線通信部３５、操作部３６、表示部３７、マイク３８及びスピーカ３９を備えて構成される。
【００４８】
制御部３０は、ＣＰＵ４０、ＲＯＭ４１、ＲＡＭ４２を備えて構成され、ＲＯＭ４１及び／またはＲＡＭ４２に記憶された制御プログラムをＣＰＵ４０が実行することにより、携帯電話機１３ａ、１３ｂの各部の動作を制御・統括する。
【００４９】
電池残量検出部３１は、携帯電話機１３ａ、１３ｂの電池の残量を検出するものである。
【００５０】
アドレス情報記憶部３２は、各携帯電話機１３ａ、１３ｂに登録されているアドレス情報、例えば、図４に示す情報が記憶された記憶媒体である。
【００５１】
通話送受信部３３は、携帯電話機１３ａ、１３ｂと、外部の端末である携帯電話機１２の間で通話を行うための通信を行うものである。
【００５２】
メール送受信部３４は、携帯電話機１３ａ、１３ｂと、外部の端末である携帯電話機１２の間でメールの送受信を行うものである。
【００５３】
近距離無線通信部３５は、ナビゲーション装置１１との間で無線通信を行うための通信手段であり、制御部３０は近距離無線通信部３５を介して、アドレス情報記憶部３２に記憶されているアドレス情報をナビゲーション装置１１に送信し、また、電池残量検出部３１により検出された携帯電話機１３ａ、１３ｂの電池残量情報をナビゲーション装置１１に送信する。また、制御部３０は、近距離無線通信部３５を介し、ナビゲーション装置１１との間で通話のための音声情報や、その他データの送受信を行う。近距離無線通信部３５には、例えば、ブルートゥース技術を利用することができる。
【００５４】
操作部３６は、携帯電話機１３ａ、１３ｂの各種操作、例えば、発信先である携帯電話機１２の電話番号を入力する手段、ナビゲーション装置１１に対してアドレス情報の送信を指示する手段等として機能するものであり、例えば、キーやタッチパネルから構成される。
【００５５】
表示部３７は、通話中の所定の画像を表示する手段、操作部３６を用いた作業に必要な操作画像を表示する手段等として機能するものであり、例えば、液晶表示パネルから構成される。マイク３８は、発信先端末と通話を行うため発話音声を入力する手段であり、スピーカ３９は、発信先端末側からの発話音声を出力する手段である。
【００５６】
次に、以上のように構成されるハンズフリー通話システムの動作について説明する。
【００５７】
まず、ハンズフリー通話を行うための準備作業として、ユーザは、操作部２３を介して、ナビゲーション装置１１に携帯電話機を登録する必要がある。この場合、表示部２４に表示された図８に示すメニュー画面から「設定」のボタンを選択すると、図９に示す携帯電話登録画面に遷移する。ユーザは、この画面から「詳細」のボタンを選択して登録させたい携帯電話機にかかる必要な情報を設定することで所望の携帯電話機を携帯電話機登録情報記憶部１９に登録することができる。携帯電話機の情報としては、例えば、図５に示すように、携帯電話機の区分記号（１３ａ、１３ｂ）、電話番号、携帯電話機のキャリア、および日時記憶部１９ａへの接続可能時間帯の開始日時、接続可能時間帯の終了日時である。
【００５８】
次に、各携帯電話機のアドレス情報記憶部３２に記憶されているアドレス情報をナビゲーション装置１１のアドレス情報記憶部１８に登録する。この場合、制御部１４は、ナビゲーション装置１１の近距離無線通信部２２を介して携帯電話機１３ａ、１３ｂからアドレス情報を取得することができる。アドレス情報としては、例えば、図４に示すように、携帯電話機のユーザの名前、電話番号、メールアドレス、ユーザを分類するグループ（先に説明した「友人」、「会社」、「その他」等の分類）、発信先携帯電話機のキャリアの各情報である。制御部１４は、取得したこれらのアドレス情報を、アドレス情報記憶部１８に記憶する。
【００５９】
なお、アドレス情報については、ユーザが操作部２３を介して直接入力する形態でも構わない。
【００６０】
図５に示す、日時記憶部１９ａへ登録される情報については、操作部２３を介しユーザが直接入力するほか、上記アドレス情報と同様に、制御部１４が、携帯電話機１３ａ,１３ｂから近距離無線通信部を介して取得することもできる。この場合、たとえば携帯電話機１３ａ、１３ｂが持つ休日登録可能なカレンダー機能から必要な日時情報を取得し、日時記憶部１９ａに登録する構成としてもよい。
【００６１】
以上のような登録作業が終了した後、ナビゲーション装置１１の電源がオンされると、携帯電話機選択部２１は、登録された携帯電話機（１３ａ、１３ｂ）のうち、１台を接続端末として決定し、制御部１４は、決定された携帯電話機との接続処理を実行する。この処理の詳細について、図６、図７に示すフローチャートに従って説明する。
【００６２】
なお、図６、図７のフローチャートの説明においては、ナビゲーション装置１１にハンズフリー接続可能な複数台の携帯電話機として、図５に示す携帯電話機１３ａと携帯電話機１３ｂが登録されているものとする。なお、以下の説明においては、携帯電話機１３ａ、携帯電話機１３ｂを単に端末１３ａ、端末１３ｂと称する。
【００６３】
ナビゲーション装置１１の電源がオンされると、制御部１４は、近距離無線通信部２２を介し、周辺端末（端末１３ａ、１３ｂ）から送信される信号の探索処理を開始し（ステップＳ１０１）、周辺端末からの信号を検知した場合（ステップＳ１０１のＹＥＳ）、ステップＳ１０２の処理へ進み、検知した信号の中にナビゲーション装置１１に登録された端末１３ａからの信号が含まれるか否かの判定を行う。
【００６４】
ハンズフリー機能を有したナビゲーション装置１１は、電源がオンされると、装置の電源がオフされるまでの間、常時、周辺端末（端末１３ａ、１３ｂ）からの信号を待ち受ける状態となり（周辺端末の存在を監視する状態）、また、ハンズフリー機能を有した端末１３ａ、１３ｂにおいては、ハンズフリー設定がオン（ドライバによる任意設定）の状態であれば、常時、周辺に対して信号を送信し続ける。従って、ハンズフリー設定がオン状態である端末１３ａ、１３ｂが、ハンズフリー機能を有したナビゲーション装置１１を搭載した車両１０内に持ち込まれた場合、ナビゲーション装置１１は、この端末１３ａ、１３ｂが車内に持ち込まれたことを検出することができる。
【００６５】
また、制御部１４は、受信した信号にナビゲーション装置１１に登録された端末１３ａ、１３ｂからの信号が含まれるか否かを判定する際、ナビゲーション装置１１に複数の端末が登録されているような場合は、所定の条件（例えば、ナビゲーション装置１１に登録された順）に従い１台づつ順に判定を行う。本実施例では、図５に示すように、ナビゲーション装置１１に対し２台の端末（１３ａ、１３ｂ）が登録されているので、制御部１４は、登録されている２台の端末について、ナビゲーション装置１１に登録された順に従い１台づつ判定を行う。
【００６６】
なお、本実施例では、ナビゲーション装置１１に登録された順として、端末１３ａが先に登録されたものとして以下説明を行う。
【００６７】
ステップＳ１０２において、制御部１４は、周辺端末からの信号に端末１３ａからの信号が含まれるか否かを判定し（ステップＳ１０２）、端末１３ａからの信号が含まれると判定すると（ステップＳ１０２のＹＥＳ）、端末１３ａが車内に持ち込まれていることをＲＡＭ２９などに一時記憶して（ステップＳ１０３）ステップＳ１０４の処理へ進む。逆に端末１３ａからの信号が含まれないと判定した場合は（ステップＳ１０２のＮＯ）、ステップＳ１０３の処理を介さずステップＳ１０４の処理へ進む。
【００６８】
ステップＳ１０４の処理において、制御部１４は、周辺端末からの信号に端末１３ｂからの信号が含まれるか否かを判定し（ステップＳ１０４）、端末１３ｂからの信号が含まれると判定すると（ステップＳ１０４のＹＥＳ）、端末１３ｂが車内に持ち込まれている状態であることをＲＡＭ２９などに一時記憶して（ステップＳ１０５）ステップＳ１０６の処理へ進む。逆に端末１３ｂからの信号が含まれないと判定した場合は（ステップＳ１０４のＮＯ）、ステップＳ１０５の処理を介さずステップＳ１０６の処理へ進む。
【００６９】
制御部１４は、ステップＳ１０６において、現在日時取得部２０を介して現在の日時情報を取得する。次いで、日時記憶部１９ａに記憶されている端末１３ａの記憶情報を読み出し、現在日時が、読み出した記憶情報に含まれる接続可能時間帯の開始日時、接続可能時間帯の終了日時の範囲内であるか否かを判別する（ステップＳ１０７）。この判定の結果、接続可能時間帯の範囲内であると判別すると（ステップＳ１０７のＹＥＳ）、ステップＳ１０３の処理で一時記憶した情報を参照して、車内に端末１３ａが持ち込まれているか否かを判定する（ステップＳ１０８）。この判定により、車内に端末１３ａが持ち込まれていると判定すると（ステップＳ１０８のＹＥＳ）、制御部１４は、端末１３ａとの接続処理を実行する（ステップＳ１０９）。また、車内に端末１３ａが持ち込まれていないと判定すると（ステップＳ１０８のＮＯ）、ステップＳ１１１の処理に進む。
【００７０】
一方、ステップＳ１０７の処理において、現在日時が端末１３ａに設定された接続可能時間帯の範囲内でないと判定すると（ステップＳ１０７のＮＯ）、制御部１４は、日時記憶部１９ａに記憶された端末１３ｂの記憶情報を読み出し、現在日時が、読み出した接続可能時間帯の開始日時、接続可能時間帯の終了日時の範囲内であるか否かを判定する（ステップＳ１１０）。その結果、接続可能時間帯の範囲内であると判定すると（ステップＳ１１０のＹＥＳ）、ステップＳ１０５の処理で一時記憶した情報を参照して、車内に端末１３ｂが持ち込まれているか否かを判定する（ステップＳ１１１）。
【００７１】
ここで、車内に端末１３ｂが持ち込まれていると判定すると（ステップＳ１１１のＹＥＳ）、制御部１４は、端末１３ｂとの接続処理を実行する（ステップＳ１１２）。ステップＳ１１１の処理において、車内に端末１３ｂが持ち込まれていないと判定すると（ステップＳ１１１のＮＯ）、ステップＳ１１３の電源オフ判別処理に進む。制御部１４は、ステップＳ１０９またはステップＳ１１２の処理で端末１３ａまたは端末１３ｂとの接続処理を実行すると、ナビゲーション装置１１の電源がオフか否かが判別し（ステップＳ１１３）、電源がオフであると処理を終了し、電源がオンであれば、図７のフローチャートの処理に進む。
【００７２】
図７のフローチャートにおいて、制御部１４は先ず、現在端末１３ａと接続中であるか否かを判定し（ステップＳ２０１）、端末１３ａと接続中であると判定すると（ステップＳ２０１のＹＥＳ）、端末１３ａとの接続状態が不可能な状態でないかを判定する（ステップＳ２０２）。接続不可能な状態とは、例えば、端末１３ａが車内にありながら、ユーザが端末１３ａの電源を切断したり、ハンズフリー設定をオフにしたり、あるいは、設定がオンのまま所持者が携帯電話機を車外に持ち出したりしてハンズフリー接続を継続できない状況になる場合であり、制御部１４は、ステップＳ２０２の処理では前記のような状態を判定する。
【００７３】
制御部１４は、接続中の端末１３ａとの接続状態が不可能でないと判定すると（ステップＳ２０２のＮＯ）、図６のフローチャートのステップＳ１０６の日時情報取得処理に戻る。
【００７４】
また、接続中の端末１３ａとの接続状態が不可能であると判定すると（ステップＳ２０２のＹＥＳ）、他の端末１３ｂと接続可能であるか否かを判定する（ステップＳ２０３）。他の端末１３ｂとの接続が可能でないと判定すると（ステップＳ２０３のＮＯ）、図６のフローチャートのステップＳ１０１の端末探索処理に戻り、他の端末１３ｂとの接続が可能であると判定すると（ステップＳ２０３のＹＥＳ）、接続端末を端末１３ｂに切り換え（ステップＳ２０４）、端末１３ｂとの接続処理を実行した後図６のフローチャートのステップＳ１０６の日時情報取得処理に戻る。
【００７５】
携帯電話機選択部２１は、ステップＳ１０９あるいはステップＳ１１２の処理において接続端末を決定した時点で、図１０に示すようにナビゲーション装置１１の表示部２４にて現在日時と選択決定された携帯電話を表示部２４に表示し、さらにはスピーカ３９より「電話１に接続します」と音声案内をすることで、運転者に報知し、以後のハンズフリー通話に安心して臨むことができる。
【００７６】
なお、何らかの理由で案内した接続端末と異なる端末（携帯電話機）をユーザが選択する場合に対応可能なように、図１０の表示に、ユーザ選択を可能する表示内容を加えることも可能である。例えば、図１０の表示に「ＹＥＳ」，「ＮＯ」の選択項目の表示を加え、ユーザが「ＮＯ」を選択した場合は、案内と異なる発信元端末を決定するようにすればよい。
【００７７】
このようにして、携帯電話機登録情報記憶部１９に、複数の携帯電話機１３ａ、１３ｂを個別に登録するとともに、それぞれの携帯電話機毎にナビゲーション装置１１の携帯電話機登録情報記憶部１９に日時記憶部１９ａを設け、個別に通信接続の開始日時と終了日時を設定、記憶する。
【００７８】
携帯電話機の接続選択を行う際には、計時部２０から読みだされる現在日時が、携帯電話機登録情報記憶部１９に設定された開始日時と終了日時の間に合致する１つの携帯電話機を接続端末として選定でき、運転者の所有する業務用と個人用の複数の携帯電話を、平日と休日とに、あるいは業務時間内と業務時間外とに確実に自動的に切り替えて使用でき、さらには、運転中に携帯電話の切り替えのための操作も必要とせず、極めて利便性の高い、かつ安全な端末接続制御装置を提供することができる。
【００７９】
なお、本発明は、上述した実施例に限定されるものではなく、本発明の要旨を逸脱しない範囲で変更することが可能である。
【００８０】
例えば、設定した使用可能な日時範囲は、公用及び私用の２つの場合に分類しているが、これら以外の分類を追加して日時範囲を設定してもよい。例えば、携帯電話機のキャリアに応じて、通信料金が安くなるキャリアを選択可能な日時範囲を追加することができる。
【００８１】
また、上記実施例においては、携帯電話機の電池残量を考慮に入れず、設定された接続可能時間帯の範囲内にある携帯電話機を選択するようにしたが、選択した携帯電話機が電池残量が十分でない場合には、図１０の表示画面にその旨を表示して、ユーザが他の携帯電話機を決定できるようにしてもよい。その場合、電子メール等により、本来発信すべき端末に代わり、他の端末から発信している旨を伝える代理発信メッセージを相手方に通知した上で、電池残量が十分な発信元端末から通話するようにしてもよい。
【００８２】
また、端末接続制御装置としては、車両１０に搭載されるナビゲーション装置１１に限られるものではなく、端末と通信可能なものであれば、パソコンを含む種々の装置を適用することができる。また、端末接続制御装置に接続される端末としては、外部の端末と通信を行うものであれば、携帯電話機１３ａ、１３ｂ以外の通信機器でもよく、また、その台数は、複数台であれば、２台に限られるものではない。
【符号の説明】
【００８３】
１０・・・車両
１１・・・ナビゲーション装置
１２、１３ａ、１３ｂ・・・携帯電話機
１４、３０・・・制御部
１５・・・現在位置検出部
１６・・・経路探索部
１７・・・地図情報記憶部
１８、３２・・・アドレス帳記憶部
１９・・・携帯電話機登録情報記憶部
１９ａ・・・日時記憶部
２０・・・現在日時取得部（計時部）
２１・・・携帯電話機選択部
２２、３５・・・近距離無線通信部
２３、３６・・・操作部
２４、３７・・・表示部
２５、３８・・・マイク
２６、３９・・・スピーカ
３１・・・電池残量検出部
３３・・・通話送受信部
３４・・・メール送受信部
【図１】
2012175529.tif 000003
【図２】
2012175529.tif 000004
【図３】
2012175529.tif 000005
【図４】
2012175529.tif 000006
【図５】
2012175529.tif 000007
【図６】
2012175529.tif 000008
【図７】
2012175529.tif 000009
【図８】
2012175529.tif 000010
【図９】
2012175529.tif 000011
【図１０】
2012175529.tif 000012